(57)【要約】【課題】バッテリ駆動型の電子機器において、消費電力が大きく変わる要因となる事由が発生した場合に、早急に、ユーザにバッテリ使用可能時間に与える影響を報知することが可能な電子機器を提供すること。【解決手段】バッテリ情報表示プログラム５１は、消費電力変動イベントが発生した場合には、バッテリ情報表示プログラム５１は、バッテリ２５が検出したバッテリ電圧、バッテリ電流、およびバッテリ残容量に基づいて、第１の周期Ｔ２より短い第２の周期Ｔ１で、バッテリ使用可能時間を算出し、算出したバッテリ使用可能時間を液晶表示パネル３１に更新表示する。【選択図】      図３
2010286994.tif 000002
【特許請求の範囲】
【請求項１】
バッテリ駆動型の電子機器において、
バッテリ電圧、バッテリ電流、およびバッテリ残容量を検出する検出手段と、
前記検出手段で検出したバッテリ電圧、バッテリ電流、およびバッテリ残容量に基づいて、第１の周期で、バッテリ使用可能時間を算出し、算出したバッテリ使用可能時間を表示部に更新表示するバッテリ使用可能時間算出表示手段と、
を備え、
前記バッテリ使用可能時間算出表示手段は、消費電力変動イベントが発生した場合には、前記第１の周期より短い第２の周期で、前記検出したバッテリ電圧、バッテリ電流、およびバッテリ残容量に基づいて、バッテリ使用可能時間を算出し、算出したバッテリ使用可能時間を表示部に更新表示することを特徴とする電子機器。
【請求項２】
前記バッテリ使用可能時間算出表示手段は、
前記第１の周期の場合は、その周期内に検出されたバッテリ電圧およびバッテリ電流に基づいて、その間の消費電力の平均を算出して、バッテリ使用可能時間を算出し、
前記第２の周期の場合は、その周期時間を順次積算した時間当たりの消費電力の平均を算出して、バッテリ使用可能時間を算出することを特徴とする請求項１に記載の電子機器。
【請求項３】
前記バッテリ使用可能時間算出表示手段は、消費電力変動イベントが発生した場合には、所定期間、前記第２の周期で、前記バッテリ使用可能時間の算出および更新表示した後、前記第１の周期で、前記バッテリ使用可能時間の算出および更新表示することを特徴とする請求項１に記載の電子機器。
【請求項４】
前記消費電力変動イベントは、省電力設定の変更、バッテリ寿命延長機能のＯＮ／ＯＦＦ、および表示部の輝度の変更の少なくとも１つを含むことを特徴とする請求項１に記載の電子機器。
【請求項５】
バッテリ駆動型の電子機器のバッテリ使用可能時間の表示方法において、
バッテリ電圧、バッテリ電流、およびバッテリ残容量を検出する検出工程と、
前記検出工程で検出したバッテリ電圧、バッテリ電流、およびバッテリ残容量に基づいて、第１の周期で、バッテリ使用可能時間を算出し、算出したバッテリ使用可能時間を表示部に更新表示する
バッテリ使用可能時間算出表示工程と、
を含み、
前記バッテリ使用可能時間算出表示工程では、消費電力変動イベントが発生した場合には、前記第１の周期より短い第２の周期で、前記検出したバッテリ電圧、バッテリ電流、およびバッテリ残容量に基づいて、バッテリ使用可能時間を算出し、算出したバッテリ使用可能時間を表示部に更新表示することを特徴とする電子機器のバッテリ使用可能時間の表示方法。
【請求項６】
バッテリ駆動型の電子機器に搭載されるプログラムにおいて、
バッテリ電圧、バッテリ電流、およびバッテリ残容量を検出する検出工程と、
前記検出工程で検出したバッテリ電圧、バッテリ電流、およびバッテリ残容量に基づいて、第１の周期で、バッテリ使用可能時間を算出し、算出したバッテリ使用可能時間を表示部に更新表示するバッテリ使用可能時間算出表示工程と、
をコンピュータに実行させ、
前記バッテリ使用可能時間算出表示工程では、消費電力変動イベントが発生した場合には、前記第１の周期より短い第２の周期で、前記検出したバッテリ電圧、バッテリ電流、およびバッテリ残容量に基づいて、バッテリ使用可能時間を算出し、算出したバッテリ使用可能時間を表示部に更新表示することを特徴とするコンピュータが実行可能なプログラム。
【発明の詳細な説明】
【技術分野】
【０００１】
本発明は、電子機器、そのバッテリ使用可能時間の表示方法、およびコンピュータが実行可能なプログラムに関し、詳細には、バッテリ駆動型の電子機器において、バッテリ使用可能時間の表示を行う電子機器、そのバッテリ使用可能時間の表示方法、およびコンピュータが実行可能なプログラムに関する。
【背景技術】
【０００２】
近年、モービル・コンピューティングの普及と共に、様々な大きさや機能を有する携帯型パーソナル・コンピュータ（以下、ポータブルＰＣと呼ぶ）が開発されてきている。例えば、ノートブック型パーソナル・コンピュータ（ＰＣ）、サブノートブック型ＰＣ、パームトップ型ＰＣ、ＰＤＡ（Personal  Data  Assistants；個人向け携帯型情報通信機器）などがある。
【０００３】
ポータブルＰＣは、本体内に電池を内蔵している。この内蔵電池により、例えば、列車内などのように商用電源を利用することのできない環境下においても、ユーザは、ポータブルＰＣを使用することができる。上記内蔵電池には、充電することにより繰り返し使うことのできる２次電池を用いるのが一般的である。
【０００４】
ところで、このようなポータブルＰＣ等のコンピュータや様々な家庭用電化製品等に用いることができる２次電池として、電子回路が組み込まれたインテリジェント電池が注目されている。この電池によれば、内部に組み込まれた電子回路によって電池の残容量を外部に知らせることができる。従って、例えばポータブルＰＣの２次電池としてインテリジェント電池を用いることによって、ユーザは商用電源を利用することのできない環境下においてポータブルＰＣを使用している際に２次電池の残容量が尽きることを事前に知ることができ、使用中の突然のシャット・ダウンを回避することができる。
【０００５】
このようなインテリジェント電池では、一般に、電池の総容量を示す容量情報を予め記憶しており、該容量情報によって示される総容量から、電池の放電電流値を積算することによって得られる放電量を減じることによって電池の残容量を得ている。
【０００６】
また、このようなバッテリ駆動型の情報処理装置では、バッテリ残容量と使用電力とに基づいて、バッテリ使用可能時間を算出し、ユーザの便宜のために、バッテリ使用可能時間を表示部に表示している。このバッテリ使用可能時間の表示の更新は、一定の時間単位で行われるのが一般的である。
【０００７】
しかしながら、ユーザが電力管理設定等を変更した場合でも、一定の時間単位でしかバッテリ使用可能時間の表示の更新が行われないため、ユーザは、設定の変更が反映したバッテリ使用可能時間を直ぐには確認することができないという問題がある。
【０００８】
ポータブルＰＣのバッテリ制御方法として、例えば、特許文献１，２が公知である。
【先行技術文献】
【特許文献】
【０００９】
【特許文献１】特開２００１−２８３９２９号公報
【特許文献２】特開２００９−９１８３号公報
【発明の概要】
【発明が解決しようとする課題】
【００１０】
本発明は、上記に鑑みてなされたものであって、バッテリ駆動型の電子機器において、消費電力が大きく変わる要因となる事由が発生した場合に、早急に、ユーザにバッテリ使用可能時間に与える影響を報知することが可能な電子機器、そのバッテリ使用可能時間の表示方法、およびコンピュータが実行可能なプログラムを提供することを目的とする。
【課題を解決するための手段】
【００１１】
上述した課題を解決し、目的を達成するために、バッテリ駆動型の電子機器において、バッテリ電圧、バッテリ電流、およびバッテリ残容量を検出する検出手段と、前記検出手段で検出したバッテリ電圧、バッテリ電流、およびバッテリ残容量に基づいて、第１の周期で、バッテリ使用可能時間を算出し、算出したバッテリ使用可能時間を表示部に更新表示するバッテリ使用可能時間算出表示手段と、を備え、前記バッテリ使用可能時間算出表示手段は、消費電力変動イベントが発生した場合には、前記第１の周期より短い第２の周期で、前記検出したバッテリ電圧、バッテリ電流、およびバッテリ残容量に基づいて、バッテリ使用可能時間を算出し、算出したバッテリ使用可能時間を表示部に更新表示することを特徴とする。
【００１２】
また、本発明の好ましい態様によれば、前記バッテリ使用可能時間算出表示手段は、前記第１の周期の場合は、その周期内に検出されたバッテリ電圧およびバッテリ電流に基づいて、その間の消費電力の平均を算出して、バッテリ使用可能時間を算出し、前記第２の周期の場合は、その周期時間を順次積算した時間当たりの消費電力の平均を算出して、バッテリ使用可能時間を算出することが望ましい。
【００１３】
また、本発明の好ましい態様によれば、前記バッテリ使用可能時間算出表示手段は、消費電力変動イベントが発生した場合には、所定期間、前記第２の周期で、前記バッテリ使用可能時間の算出および更新表示した後、前記第１の周期で、前記バッテリ使用可能時間の算出および更新表示することが望ましい。
【００１４】
また、本発明の好ましい態様によれば、前記消費電力変動イベントは、省電力設定の変更、バッテリ寿命延長機能のＯＮ／ＯＦＦ、および表示部の輝度の変更の少なくとも１つを含むことが望ましい。
【００１５】
上述した課題を解決し、目的を達成するために、本発明は、バッテリ駆動型の電子機器のバッテリ使用可能時間の表示方法において、バッテリ電圧、バッテリ電流、およびバッテリ残容量を検出する検出工程と、前記検出工程で検出したバッテリ電圧、バッテリ電流、およびバッテリ残容量に基づいて、第１の周期で、バッテリ使用可能時間を算出し、算出したバッテリ使用可能時間を表示部に更新表示するバッテリ使用可能時間算出表示工程と、を含み、前記バッテリ使用可能時間算出表示工程では、消費電力変動イベントが発生した場合には、前記第１の周期より短い第２の周期で、前記検出したバッテリ電圧、バッテリ電流、およびバッテリ残容量に基づいて、バッテリ使用可能時間を算出し、算出したバッテリ使用可能時間を表示部に更新表示することを特徴とする。
【００１６】
上述した課題を解決し、目的を達成するために、本発明は、バッテリ駆動型の電子機器に搭載されるプログラムにおいて、バッテリ電圧、バッテリ電流、およびバッテリ残容量を検出する検出工程と、前記検出工程で検出したバッテリ電圧、バッテリ電流、およびバッテリ残容量に基づいて、第１の周期で、バッテリ使用可能時間を算出し、算出したバッテリ使用可能時間を表示部に更新表示するバッテリ使用可能時間算出表示工程と、をコンピュータに実行させ、前記バッテリ使用可能時間算出表示工程では、消費電力変動イベントが発生した場合には、前記第１の周期より短い第２の周期で、前記検出したバッテリ電圧、バッテリ電流、およびバッテリ残容量に基づいて、バッテリ使用可能時間を算出し、算出したバッテリ使用可能時間を表示部に更新表示することを特徴とする。
【発明の効果】
【００１７】
本発明によれば、バッテリ駆動型の電子機器において、バッテリ電圧、バッテリ電流、およびバッテリ残容量を検出する検出手段と、前記検出手段で検出したバッテリ電圧、バッテリ電流、およびバッテリ残容量に基づいて、第１の周期で、バッテリ使用可能時間を算出し、算出したバッテリ使用可能時間を表示部に更新表示するバッテリ使用可能時間算出表示手段と、を備え、前記バッテリ使用可能時間算出表示手段は、消費電力変動イベントが発生した場合には、前記第１の周期より短い第２の周期で、前記検出したバッテリ電圧およびバッテリ電流に基づいて、バッテリ使用可能時間を算出し、算出したバッテリ使用可能時間を表示部に更新表示することとしたので、バッテリ駆動型の電子機器において、消費電力が大きく変わる要因となる事由が発生した場合に、早急に、ユーザにバッテリ使用可能時間に与える影響を報知することが可能な電子機器を提供することが可能になるという効果を奏する。
【図面の簡単な説明】
【００１８】
【図１】図１は、本発明に係る電子機器を適用したノート型ＰＣの外観構成を示す図である。
【図２】図２は、図１のノート型ＰＣの概略のハードウェア構成例を示す図である。
【図３】図３は、図２のノート型ＰＣのバッテリ使用可能時間の更新表示に関する機能構成を示す図である。
【図４】図４は、バッテリ使用可能時間平均値ｔBTAVEの算出間隔を説明するための模式図である。
【図５】図５は、バッテリ情報表示プログラムにおける通常時のバッテリ情報表示処理を説明するためのフローチャートである。
【図６】図６は、バッテリ情報表示プログラムにおける消費電力変動イベントが発生した場合のバッテリ情報表示処理を説明するためのフローチャートである。
【発明を実施するための形態】
【００１９】
以下に、この発明にかかる電子機器、そのバッテリ使用可能時間の表示方法、およびコンピュータが実行可能なプログラムの実施の形態を図面に基づいて詳細に説明する。なお、この実施例によりこの発明が限定されるものではない。また、下記実施例における構成要素には、当業者が容易に想定できるものまたは実質的に同一のものが含まれる。
【００２０】
図１は、本発明に係る電子機器を適用したノート型ＰＣの外観構成を示す図である。同図において、１はノート型ＰＣ、１０はパソコン本体部、１１はキーボードやスライスパッドを備えた入力部、３０は表示部、３１は液晶表示パネル、２７はパソコン本体１１に対して、表示部３０を回転可能に支持する回転支持部を示している。ノート型ＰＣ１は、パソコン本体部１０にバッテリ（不図示）を収納しており、バッテリ駆動が可能となっている。液晶表示パネル３１には、所定周期で、バッテリ使用可能時間３１ａが更新表示される。本実施の形態では、消費電力が大きく変わる要因となる事由（以下、「消費電力変動イベント」と称する）が発生した場合は、ユーザにバッテリ使用可能時間に与える影響を早急に報知するために、通常時に比して、バッテリ使用可能時間３１ａの更新表示周期を短くしている。
【００２１】
図２は、図１のノート型ＰＣの概略のハードウェア構成例を示す図である。ノート型ＰＣ１は、同図に示すように、ＣＰＵ１２、ＣＰＵブリッジ１３、メイン・メモリ１４、ビデオコントローラ１５、液晶表示パネル３１、Ｉ／Ｏブリッジ１７、無線モジュール１８、ＨＤＤ（ハードディスク）１９、ＲＯＭ２０、Ｉ／Ｏコントローラ２１、入力部１１、エンベデットコントローラ２２、パワーコントローラ２３、ＤＣ−ＤＣコンバータ２４、バッテリ２５、およびＡＣアダプタ２６等を備えている。
【００２２】
ＣＰＵ１２は、ＣＰＵブリッジ１３およびＩ／Ｏブリッジ１７を介して接続されたＨＤＤ１９に格納されたＯＳ（例えば、Ｗｉｎｄｏｗｓ（登録商標）ＯＳ）によりＰＣ全体の制御を行うとともに、ＨＤＤ１９に格納された各種のプログラムに基づいて処理を実行する機能を司る。ＲＯＭ２０は、ＢＩＯＳ４１やデータ等を格納している。メイン・メモリ１４は、例えば、ＲＡＭで構成されており、ＣＰＵ１２による各種プログラムの実行時にワークエリアとして利用されるメモリ機能を有している。
【００２３】
表示部３０は、液晶表示パネル３１、バックライト（不図示）、バックライトを駆動するインバータ（不図示）、液晶表示パネル３０を駆動するドライバ回路等を備えている。液晶表示パネル３１は、ＣＰＵ１２の各種の処理に伴うメニュー、ステータス、表示遷移等を表示する機能を有している。ビデオコントローラ１５は、ＣＰＵ１２の制御に従って、インバータを制御してバックライトの輝度を調整したり、また、ビデオ信号をドライバ回路に送出して、液晶表示パネル３１の表示を制御する。無線モジュール１８は、インターネット等のネットワークに接続したり、赤外線で他の機器との通信を接続する機能を司る。
【００２４】
入力部１１は、文字、コマンド等を入力する各種キーより構成されるキーボードや画面上のカーソルを移動させたり、各種メニューを選択するスライスパッドを備えている。Ｉ／Ｏコントローラ２１は、入力部１１の入力操作を検出して、ＣＰＵ１２に出力する。
【００２５】
ＨＤＤ（ハードディスク）１９は、例えば、Ｗｉｎｄｏｗｓ（登録商標）ＯＳ等のノート型ＰＣ１全体の制御を行うためのＯＳ、ノート型ＰＣ１の電力制御を行うための制御プログラム、バッテリ情報を表示するためのバッテリ情報表示プログラム、周辺機器類をハードウェア操作するための各種ドライバ、特定業務に向けられたアプリケーションプログラム等を記憶する機能を有している。
【００２６】
ＡＣアダプタ２６は、商用電源に接続して、ＡＣ電圧をＤＣ電圧に変換してＤＣ−ＤＣコンバータ２４に出力する。ＤＣ−ＤＣコンバータ２４は、ＡＣアダプタ２６から供給されるＤＣ電圧を所定の電圧に変換して各部に電力を供給し、また、バッテリ２５の充電を行う。
【００２７】
バッテリ２５は、ＤＣ−ＤＣコンバータ２４により充電され、充電した電圧をＤＣ−ＤＣコンバータ２４を介して、各部に供給する。バッテリ２５は、ＡＣアダプタ２６が商用電源に接続されていない場合に使用される。本実施の形態におけるバッテリ２５は、スマート・バッテリ仕様（Smart  Battery  Specification）に準拠するものとして構成されている。スマート・バッテリ仕様は米インテル社と米デュラセル社によって共同開発された仕様であり、内部に組み込まれた電子回路によって電池の残容量を外部に知らせることができるものである。また、スマート・バッテリ仕様では、製造者、シリアル・ナンバ、定格容量等の各種情報を内部に備えられたメモリに記憶しており、ユーザは該メモリに記憶されている各種情報をスマート・バッテリ仕様に従った各種コマンドによって取得することができる。
【００２８】
バッテリ２５は、バッテリ２５全体の動作を司るＣＰＵ２５ａと、バッテリ情報を含む各種データを記憶するための不揮発性のメモリ２５ｂと、２次電池２５ｃと、２次電池２５ｃを充電するための充電回路２５ｄとを備えている。ＣＰＵ２５ａは、メモリ２５ｂに対する各種データの書き込み及び読み出しを行うことができる。また、ＣＰＵ２５ａは外部との各種情報の送受を行うことができる。また、ＣＰＵ２５ａは、バッテリ電流ＩBTバッテリ電圧ＶBT、およびバッテリ残容量Ｗｈを検出し、これら検出結果に基づいて、バッテリ使用可能時間平均値ＴBTAVEを演算して、メモリ２５ｂに格納する。なお、スマート・バッテリ仕様に準拠したバッテリを構成するには他にも図示しない回路や外部端子が必要であるが、これらは当業者には周知であり、また、本発明の要旨を構成するものではないので、本明細書中では説明を省略する。
【００２９】
パワーコントローラ２３は、ＤＣ−ＤＣコンバータ２４の動作を制御する。エンベデッドコントローラ２２は、バッテリ２５の動作を制御する。
【００３０】
図３は、ノート型ＰＣ１のバッテリ使用可能時間の更新表示に関する機能構成を示す図である。図３において、バッテリ情報表示プログラム５１およびバッテリ２５は、バッテリ使用可能時間算出表示手段を構成する。図３において、バッテリ２５は、タイマシグナルの周期Ｔ１で、バッテリ電圧ＶBT、バッテリ電流ＩBT、およびバッテリ残容量Ｗｈを検出する。また、バッテリ２５は、周期Ｔ２（ただし、Ｔ２＝ｎ×Ｔ１であり、ｎは２以上の整数）で、バッテリ使用可能時間平均値ｔBTAVE＝バッテリ残容量Ｗｈ／（バッテリ電圧ＶBT×バッテリ電流平均値ＩBTAVE）を算出する。ここで、バッテリ電流平均値ＩBTAVEは、周期Ｔ２内で検出したバッテリ電流ＩBTの平均値である。バッテリ電圧は変動が少ないので、バッテリ電圧は一定と仮定して、最新のバッテリ電圧を使用し、バッテリ電流は、各回で検出したバッテリ電流の平均値を使用している。これにより、周期Ｔ２内の消費電力の平均を計算していることになる。
【００３１】
具体的には、例えば、Ｔ１＝１０秒間隔で、バッテリ電圧ＶBT、バッテリ電流ＩBT、およびバッテリ残容量Ｗｈを検出し、Ｔ２＝６０秒間隔で、バッテリ電流平均値ＩBTAVE＝（ＩBT1＋ＩBT2＋ＩBT3＋ＩBT4＋ＩBT5＋ＩBT6）／６、およびバッテリ使用可能時間の平均値ＴBTAVE＝バッテリ残容量Ｗｈ／（バッテリ電圧ＶBT6×バッテリ電流平均値ＩBTAVE）を算出する。なお、検出したバッテリ電圧ＶBTの平均値を算出して、周期Ｔ２内の消費電力の平均（＝バッテリ電圧ＶBTの平均値×バッテリ電流平均値ＩBTAVE）を計算することにしてもよい。
【００３２】
バッテリ２５は、メモリ２５ｂに、検出および算出した、バッテリ電圧ＶBT、バッテリ電流ＩBT、バッテリ残容量Ｗｈ、およびバッテリ使用可能時間平均値ｔBTAVEをバッテリ情報として格納する。バッテリ２５は、バッテリ情報表示プログラム５１からエンベデッドコントローラ２２を介してバッテリ情報要求が入力された場合に、ＣＰＵ２５ａは、エンベデッドコントローラ２２を介して、バッテリ情報表示プログラム５１にバッテリ情報を送出する。
【００３３】
また、バッテリ情報表示プログラム５１は、バッテリ情報要求を、エンベデッドコントローラ２２を介してバッテリ２５に送出し、バッテリ２５からバッテリ情報を取得する。バッテリ情報表示プログラム５１は、通常時は、周期Ｔ２で、バッテリ２５からバッテリ情報を取得して、バッテリ２５が計算したバッテリ使用可能時間平均値ＴBTAVEを、液晶表示パネル３１に更新表示する。
【００３４】
バッテリ情報表示プログラム５１は、消費電力変動イベントが発生した場合は、ユーザにその影響を早急に報知するために、周期Ｔ１で、バッテリ２５からバッテリ情報を取得して、バッテリ使用可能時間の平均値ＴBTAVEを液晶表示パネル３１に更新表示する。ここで、消費電力変動イベントとは、例えば、省電力設定の変更（例えば、Ｗｉｎｄｏｗｓ（登録商標）ＯＳが提供する電源オプションの設定の変更）、バッテリ寿命延長機能のＯＮ／ＯＦＦ、液晶パネルディスプレイ３１の輝度の変更、外部デバイスの接続・切り離し、およびＣＰＵのクロック設定等の消費電力が大きく変わる要因となる事由である。
【００３５】
この場合、バッテリ２５では、バッテリ使用可能時間の平均値ＴBTAVEは周期Ｔ２でしか更新（計算）されないため、バッテリ情報表示プログラム５１は、周期Ｔ１で、バッテリ使用可能時間平均値ＴBTAVEを算出する。その際、バッテリ情報表示プログラム５１は、その周期時間を順次積算した時間当たりの消費電力の平均を算出して、バッテリ使用可能時間平均値ＴBTAVEを算出する。
【００３６】
具体的には、バッテリ情報表示プログラム５１は、周期Ｔ１で、バッテリ使用可能時間の平均値ｔBTAVE＝バッテリ残容量Ｗｈ／（バッテリ電圧ＶBTN×バッテリ電流平均値ＩBTAVE）を算出し、算出したバッテリ使用可能時間平均値ｔBTAVEを液晶表示パネル３１に表示（更新）する。ここで、バッテリ電流平均値ＩBTAVE＝｛前回のバッテリ電流平均値ＩBTAVE×（積算回数−１）＋今回のバッテリ電流ＩBT｝／積算回数となる。
【００３７】
これにより、例えば、Ｔ１＝１０秒、Ｔ２＝６０秒とした場合において、通常時は、バッテリ使用可能時間表示は６０秒間更新されないのに対して、ユーザが省電力設定を変更した場合には、１０秒後にバッテリ使用可能時間表示が更新されるので、ユーザは自分の設定変更による効果をすぐに認識することが可能となる。消費電力変動イベント発生から期間Ｔ２が経過した場合には、通常時と同様の処理を行う。
【００３８】
図４は、バッテリ使用可能時間平均値ｔBTAVEの算出間隔を説明するための模式図である。同図において、横軸は、時間、縦軸は、平均算出期間を示している。
【００３９】
通常時は、周期Ｔ２内で平均値（周期Ｔ１で検出したバッテリ電流の周期Ｔ２内での平均値）を算出する。消費電力変動イベントが発生した場合は、消費電力変動イベントの発生からＴ２が経過するまでは、周期Ｔ２よりも短い周期Ｔ１で平均値を算出し、その周期時間Ｔ１を順次積算した時間当たりのバッテリ電流の平均を算出する。例えば、時刻ｔ０で電力変動イベントが発生した場合は、時刻ｔ０＋Ｔ１では、バッテリ電流平均値ＩBTAVE＝今回電流値、時刻ｔ０＋２×Ｔ１では、バッテリ電流平均値ＩBTAVE＝（前回（ｔ０＋Ｔ１）のバッテリ電流平均値ＩBTAVE＋今回（ｔ０＋２×Ｔ１）のバッテリ電流ＩBT）／２となり、以降、ｔ０＋Ｔ２まで同様に算出する。ｔ０＋Ｔ２以降は、通常時と同様に、周期Ｔ２内での平均値を算出する。
【００４０】
図５は、バッテリ情報表示プログラム５１における通常時のバッテリ情報表示処理を説明するためのフローチャートである。同図において、まず、バッテリ情報表示プログラム５１は、周期Ｔ２のタイマシグナルが入力されると（ステップＳ１の「Ｙｅｓ」）、エンベデッドコントローラ２２を介して、バッテリ２５からバッテリ情報（バッテリ電流ＩBT、バッテリ電圧ＶBT、バッテリ電流平均値ＩBTAVE、バッテリ残容量Ｗｈ、およびバッテリ使用可能時間平均値ＴBTAVE）を取得し（ステップＳ２）、バッテリ２５から取得したバッテリ使用可能時間平均値ＴBTAVEを、液晶パネルディスプレイ３１に表示する（ステップＳ３）。
【００４１】
図６は、バッテリ情報表示プログラム５１における消費電力変動イベントが発生した場合のバッテリ情報表示処理を説明するためのフローチャートである。同図において、まず、バッテリ情報表示プログラム５１は、カウンタＣ＝０，バッテリ電流平均値ＩBTAVE＝０に設定し（ステップＳ１１）、周期Ｔ１のタイマをセットする。ここでカウンタＣは、周期Ｔ１で更新表示する場合のＴ１の積算回数を示している。バッテリ情報表示プログラム５１は、周期Ｔ１のタイマシグナルが入力されると（ステップＳ１２の「Ｙｅｓ」）、エンベデッドコントローラ２２を介して、バッテリ２５からバッテリ情報（バッテリ電流ＩBT、バッテリ電圧ＶBT、バッテリ残容量Ｗｈ）を取得する（ステップＳ１３）。
【００４２】
バッテリ情報表示プログラム５１は、カウンタＣを「１」インクリメントする（ステップＳ１４）。つぎに、バッテリ情報表示プログラム５１は、バッテリ電流平均値ＩBTAVE＝｛前回のバッテリ電流平均値ＩBTAVE×（カウンタＣ−１）＋今回バッテリ電流ＩBT｝／カウンタＣを算出し（ステップＳ４）、算出したバッテリ電流平均値ＩBTAVEを使用して、バッテリ使用可能時間平均値ＴBTAVEを算出し、液晶表示パネル３１に表示する（ステップＳ１６）。この後、カウンタＣ＝閾値ｎ（ｎ＝Ｔ２／Ｔ１）であるか否かを判定し（ステップＳ１７）、カウンタＣ＝閾値ｎでない場合には（ステップＳ１７の「Ｎｏ」）、ステップＳ１２に戻る一方、カウンタＣ＝閾値ｎである場合には（ステップＳ１７の「Ｙｅｓ」）、当該フローを終了する。
【００４３】
以上説明したように、本実施の形態によれば、バッテリ２５は、バッテリ電圧、バッテリ電流、およびバッテリ残容量を検出し、検出したバッテリ電圧、バッテリ電流、およびバッテリ残容量に基づいて、第１の周期Ｔ２で、バッテリ使用可能時間を算出し、バッテリ情報表示プログラム５１は、バッテリ２５が算出したバッテリ使用可能時間を表示部３０に更新表示し、さらに、消費電力変動イベントが発生した場合には、バッテリ情報表示プログラム５１は、バッテリ２５が検出したバッテリ電圧、バッテリ電流、およびバッテリ残容量に基づいて、第１の周期Ｔ２より短い第２の周期Ｔ１で、バッテリ使用可能時間を算出し、算出したバッテリ使用可能時間を表示部３０に更新表示することとしたので、消費電力が大きく変わる要因となる事由が発生した場合に、早急に、ユーザにバッテリ使用可能時間に与える影響を報知することが可能となる。
【００４４】
また、バッテリ情報表示プログラム５１は、第２の周期Ｔ１でバッテリ使用可能時間を算出する場合は、その周期時間Ｔ１を順次積算した時間当たりの消費電力の平均を算出して、バッテリ使用可能時間を算出することとしたので、短い期間でも高精度にバッテリ使用可能時間を算出することが可能となる。
【００４５】
また、バッテリ情報表示プログラム５１は、消費電力変動イベントが発生した場合には、所定期間だけ、第２の周期Ｔ１で、バッテリ使用可能時間の算出および更新表示した後、第１の周期Ｔ２で、バッテリ使用可能時間の算出および更新表示することとしたので、バッテリ情報表示プログラム５１による演算および更新表示の負荷を低減することが可能となる。
【００４６】
また、バッテリ２５は、通常時と消費電力変動イベントの発生時とで同じ処理を行い、バッテリ情報表示プログラム５１側で消費電力変動イベントの発生時にバッテリ使用可能時間の算出を行うこととしたので、バッテリ２５の処理を変更することなく、消費電力変動イベントの発生時に短い周期でのバッテリ使用可能時間の算出および更新表示を行うことが可能となる。なお、消費電力変動イベントの発生時に、バッテリ２５側で、周期Ｔ１でのバッテリ使用可能時間の算出を行う構成としてもよい。
【００４７】
また、上記実施の形態では、本発明に係る電子機器の一例として、ノート型ＰＣについて説明したが、本発明は、これに限られるものではなく、バッテリを電源として駆動する全ての電子機器に適用可能であり、例えば、ＰＤＡ、携帯端末、デジタルカメラ等の電子機器に適用可能である。
【産業上の利用可能性】
【００４８】
本発明に係る電子機器、そのバッテリ使用可能時間の表示方法、およびコンピュータが実行可能なプログラムは、バッテリを電源として駆動する各種電子装置に利用可能である。
【符号の説明】
【００４９】
１  ノート型ＰＣ
１０  パソコン本体部
１１  入力部
１２  ＣＰＵ
１３  ＣＰＵブリッジ
１４  メイン・メモリ
１５  ビデオコントローラ
１７  Ｉ／Ｏブリッジ
１８  無線モジュール
１９  ＨＤＤ（ハードディスク）
２０  ＲＯＭ
２１  Ｉ／Ｏコントローラ
２２  エンベデットコントローラ
２３  パワーコントローラ
２４  ＤＣ−ＤＣコンバータ
２５  バッテリ
２５ａ  ＣＰＵ
２５ｂ  メモリ
２５ｃ  ２次電池
２５ｄ  充電回路
２６  ＡＣアダプタ
２７  回転支持部
３０  表示部
３１  液晶表示パネル
４１  ＢＩＯＳ
５１  バッテリ情報表示プログラム
【図１】
2010286994.tif 000003
【図２】
2010286994.tif 000004
【図３】
2010286994.tif 000005
【図４】
2010286994.tif 000006
【図５】
2010286994.tif 000007
【図６】
2010286994.tif 000008